(57)【要約】【課題】洗面ボウルを略均一な明るさで発光させることができる洗面カウンターを提供する。【解決手段】本発明の洗面カウンター１は、少なくとも洗面ボウル２３部分を透光性を有する材料で形成した天板２を備え、天板２の裏面側に、照明装置３を設けるとともに洗面ボウル２３の周囲に反射板２４を配したことを特徴とする。  このようにすることにより、照明装置３から発した光が反射板２４で反射され、洗面ボウル２３の縁部も明るく照らすことができる。【選択図】図２
2011078637.tif 000002
【特許請求の範囲】
【請求項１】
少なくとも洗面ボウル部分を透光性を有する材料で形成した天板を備えた洗面カウンターであって、天板の裏面側に、照明装置を設けるとともに洗面ボウルの周囲に反射板を配した洗面カウンター。
【請求項２】
前記反射板は、白色板で形成した請求項１に記載の洗面カウンター。
【請求項３】
前記反射板の外側に吊下げ部材の一端を結合し、その他端を前記照明装置に結合して前記天板と前記照明装置とを一体に形成した請求項１又は２に記載の洗面カウンター。
【発明の詳細な説明】
【技術分野】
【０００１】
本発明は、洗面化粧台などを構成する洗面カウンターに関する。
【背景技術】
【０００２】
従来の洗面カウンターとしては、天板の少なくとも一部に透光部を形成し、該天板の下方に照明ランプを配したものが開発されており、この洗面カウンターは、照明ランプで天板を照らすことにより、洗面カウンター付近の間接照明になるとともに洗面カウンターの美観を高めることができるものである（下記特許文献１参照）。
【０００３】
さらに、天板の裏面側にＬＥＤなどの光源を複数埋設させ、天板の表面に柔らかな光や淡い光などを発光させることができ、また、様々な模様や絵柄などを表示できるようにした洗面カウンターも開発されている（下記特許文献２参照）。
【先行技術文献】
【特許文献】
【０００４】
【特許文献１】実開平２−９６９７６号公報
【特許文献２】特開２００５−３４２１７９号公報
【発明の概要】
【発明が解決しようとする課題】
【０００５】
このような洗面カウンターは、洗面ボウルを発光させて美観を高めることができるものであるが、底の深い洗面ボウルの下方に照明装置を設け、洗面ボウルを発光させようとする場合、洗面ボウルの縁部付近にまで光が回らず、表側から見たときに、図１０に示すように、底部付近は明るいが、縁部付近が暗くなり、明るさが不均一に見え、美観を損ねてしまうことがあった。
【０００６】
そこで、本発明の目的は、洗面ボウルを略均一な明るさで発光させることができる洗面カウンターを提供するものである。
【課題を解決するための手段】
【０００７】
本発明の洗面カウンターは、少なくとも洗面ボウル部分を透光性を有する材料で形成した天板を備えた洗面カウンターであって、天板の裏面側に、照明装置を設けるとともに洗面ボウルの周囲に反射板を配したことを特徴とする。
【０００８】
このように、洗面ボウルの周囲に反射板を配することにより、反射板が照明装置からの光を拡散するため、洗面ボウル全体に光が照射され、表面側から見たときに洗面ボウルが略均一に発光しているように視認することができる。
【図面の簡単な説明】
【０００９】
【図１】本発明の第一実施形態の洗面カウンターを示した概略斜視図である。
【図２】図１の洗面カウンターの幅方向の断面図である。
【図３】図１の洗面カウンターの構成部品である天板の裏面側斜視図である。
【図４】図１の洗面カウンターの構成部品である照明装置を示した分解斜視図である。
【図５】図１の洗面カウンターの構成部品である照明装置及びキャビネットを示した斜視図である。
【図６】図１の洗面カウンターの構成部品であるキャビネットの上端部付近を示した分解斜視図である。
【図７】図１の洗面カウンターの変形例を示した概略斜視図である。
【図８】本発明の第二実施形態の洗面カウンターを示した概略斜視図である。
【図９】図８の洗面カウンターの幅方向の断面図である。
【図１０】従来の洗面カウンターの一例において、カウンターを発光させた状態を示した斜視図である。
【発明を実施するための形態】
【００１０】
以下、本発明の洗面カウンターの好適な実施形態を、図面に基づいて説明する。
【００１１】
本発明の第一実施形態の洗面カウンター１は、図１又は図２に示すように、天板２と、その下方に設けた照明装置３と、天板２を支持するキャビネット４とを主な構成として備えている。
【００１２】
天板２は、横長長方形板状の上面部２１と、その周縁部から垂下した垂れ部２２とを備え、上面部２１の中央付近には、曲面状に凹陥させた洗面ボウル２３が形成してある。洗面ボウル２３は、透光性を有する材料で形成してあり、天板２の他の部分は、透光性を有しない材料で形成してある。
【００１３】
透光性を有する材料としては、例えば、ポリエステル樹脂、アクリル樹脂、エポキシ樹脂などの合成樹脂や人造大理石、ガラスなどを挙げることができ、白色乃至乳白色などのものが好ましい。
透光性を有しない材料としては、例えば、ポリエステル樹脂、アクリル樹脂、エポキシ樹脂などの合成樹脂を挙げることができる。
【００１４】
天板２の裏面側の洗面ボウル２３の周囲には、図２又は図３に示すように、矩形板状の反射板２４を矩形状に配してある。反射板２４は、少なくとも内側面２５が光を反射するように形成してあり、例えば、アクリル樹脂板、ポリエステル樹脂板、ＰＥＴ樹脂板、アルミ箔、鏡、ハーフミラーなどで形成することができる。特にアクリル樹脂などの白色板で形成することが好ましい。
反射板２４は、外側面２７として、金属、アクリル樹脂、木材などを内側面２５に接合してもよい。
【００１５】
反射板２４の下端部は、洗面ボウル２３の最下端（本実施形態では洗面ボウル２３の排水口２６部分）と同じかそれよりもやや下方に位置するように形成するのが好ましい。
【００１６】
本実施形態では、反射板２４は、矩形板状に形成し、これを矩形状に配して形成してあるが、これに限定するものではなく、湾曲状に形成した板材を洗面ボウル２３の周囲に円形状に配することもでき、本発明では、洗面ボウルの周囲を覆うように反射板が配してあればよい。
【００１７】
照明装置３は、上面が略均一な明るさで面発光でき、図２又は図４に示すように、天板２の下方に水平に配して天板２を発光させるようにしてある。
照明装置３は、図４に示すように、横長長方形状に形成してあり、後端側に洗面ボウル２３の排水口２６に連結した排水パイプ２８を避ける矩形状の切り欠き部３１を形成してある箱体３２とそれを被覆する蓋材３４とから形成してある。箱体３２内には、複数の白色等のＬＥＤなどを並べた発光体３３を適宜数、適宜位置に配してある。蓋材３４は、透光性を有する板材で形成してあり、具体的には乳白色などのアクリル樹脂等で形成することができる。
照明装置３の両側面の四隅付近には、一端を環状にした保持部材３５が取り付けてあり、後述する吊下げ部材５を介して、キャビネット４に吊り下げることができるようにしてある。
【００１８】
キャビネット４は、図５又は図６に示すように、収納部になるとともに天板２を支持し、照明装置３を吊り下げることができるように形成してある。キャビネット４は、前側上部に配した幕板４１と、両側面板４２と、背面板４３と、底板４４とを備えており、幕板４１の下方を観音開きする扉部４５とし、この内部を収納部として活用することができるようにしてある。
キャビネット４の上端部には、図６に示すように、断面略逆Ｌ字状の矩形状枠体４７が嵌め込まれており、その枠体４７の適宜位置に設けた孔部４８に一端を環状にした保持部材４６を取り付けてある。
【００１９】
吊下げ部材５は、細長状で強度があり、線状、鎖状、帯状のものが好ましく、例えば、ワイヤー、鎖や帯体などを用いることができる。
【００２０】
洗面カウンター１は、照明装置３の保持部材３５に吊下げ部材５の一端を結合し、その他端をキャビネット４の保持部材４６に結合して照明装置３をキャビネット４内に吊下げるようにして取り付け、天板２の垂れ部２２の下端部をキャビネット４の上端部に合せて組み立てることができる。この際、キャビネット４の上端部に接着剤を塗布したり、ボルト・ナットなどの補助金具で天板２とキャビネット４とを緊結したりして天板２とキャビネット４とを固定することができる。
【００２１】
このような洗面カウンター１は、照明装置３を発光させることにより、光が洗面ボウル２３を直接照射するとともに、反射板２４の内側面２５に反射して直接光が照射しにくい箇所にも光が回り、洗面ボウル２３の縁部を照射し、この部分を明るく照らし出すことができる。このため、表側から見た場合、洗面ボウル２３を略均一な明るさで発光させることができる。
【００２２】
上記形態においては、洗面ボウル２３のみを透光性を有する材料で形成したが、図７に示すように、洗面ボウル２３の周縁部（図７の破線Ａ内）をも透光性を有する材料で形成し、この部分も発光させることができる。この際、反射板は、その発光した周縁部よりも外側に配するようにする。
【００２３】
次に本発明の第二実施形態の洗面カウンター１ａについて説明する。
なお、反射板、照明装置及び吊下げ部材は、上記形態で示したものと同様な構成のものを用いることができ、以下説明するにあたり、これらは上記と同じ符号、同じ名称を用い、詳細な説明は省略する。
【００２４】
本発明の第二実施形態の洗面カウンター１ａは、図８又は図９に示すように、天板２ａと、その下方に設けた照明装置３と、天板２ａを支持するキャビネット４ａとを主な構成として備えている。
【００２５】
天板２ａは、長尺矩形板状の上面部２１ａを備え、上面部２１ａには、曲面状に凹陥させた洗面ボウル２３ａが横方向に複数形成してある。洗面ボウル２３ａは、透光性を有する材料で形成してあり、天板２ａの他の部分は、透光性を有しない材料で形成してある。
【００２６】
透光性を有する材料及び透光性を有しない材料としては、上記と同様の材料を用いることができる。
【００２７】
天板２ａの裏面側には、図９に示すように、矩形板状の反射板２４を各洗面ボウル２３ａの周囲に矩形状に配してある。
【００２８】
反射板２４の外側の適宜位置には、半円状の保持部材２８ａが固定してあり、ここに吊下げ部材５の一端を結合できるようにしてあり、吊下げ部材５の他端を照明装置３の保持部材３５に結合して天板２ａと照明装置３とを一体的に形成することができる。
【００２９】
キャビネット４ａは、図８に示すように、収納部になるとともに天板２ａを支持することができるように形成してある。キャビネット４ａは、前側上部に配した幕板４１ａと、両側面板４２ａと、背面板と、底板４４ａとを備えており、幕板４１ａの下方を開放させて、この内部を収納部として活用することができるようにしてある。幕板４１ａの下方は、開放させずに開閉可能な扉部などを設けることもできる。
【００３０】
洗面カウンター１ａは、天板２ａと照明装置３とを吊下げ部材５を介して一体的に形成し、これを、照明装置３をキャビネット４ａ内に納めるようにしつつ、天板２の周縁部をキャビネット４の上端部に合せて組み立てることができる。この際、キャビネット４ａの上端部に接着剤を塗布したり、ボルト・ナットなどの補助金具で天板２ａとキャビネット４ａとを緊結したりして固定することができる。
【００３１】
このような洗面カウンター１ａは、照明装置３を発光させることにより、各洗面ボウル２３ａを綺麗に発光させることができる。
【００３２】
上記実施形態の構成態様は、本発明を限定するものとして挙げたものではなく、技術目的を共通にするかぎり変更は可能であり、本発明はそのような変更を含むものである。
【符号の説明】
【００３３】
１，１ａ  洗面カウンター
２，２ａ  天板
２１，２１ａ  上面部
２３，２３ａ  洗面ボウル
２４  反射板
３照明装置
５吊下げ部材
【図１】
2011078637.tif 000003
【図２】
2011078637.tif 000004
【図３】
2011078637.tif 000005
【図４】
2011078637.tif 000006
【図５】
2011078637.tif 000007
【図６】
2011078637.tif 000008
【図７】
2011078637.tif 000009
【図８】
2011078637.tif 000010
【図９】
2011078637.tif 000011
【図１０】
2011078637.tif 000012